(57)【要約】【目的】  記録媒体の記録媒体フォーマット規格で指定された書き込み領域外を利用して通常の情報記録装置において出荷時に予め記録されたデータが誤って消去されないようにする。【構成】  上位装置１のＣＰＵ１０は、ＤＶＤ＋ＲＷドライブ装置２からの通知によって汎用の記録装置用の記録媒体フォーマット規格で指定された光ディスク３０の書き込み領域の外の領域の情報を取得し、リードコマンドで光ディスク３０のその領域を参照し、その参照した領域のデータ又はプログラムを取得し、そのデータ又はプログラムに基づく処理を実行してデータを作成し、ＤＶＤ＋ＲＷドライブ装置２へライトコマンドと共にその作成したデータを送って汎用の記録装置用の記録媒体フォーマット規格で指定された光ディスク３０の書き込み領域に記録する。【選択図】        図１
2005100580.tif 000002
【特許請求の範囲】
【請求項１】
記録媒体の記録媒体フォーマット規格で指定された書き込み領域の外の領域を参照する参照手段と、該参照手段によって参照した前記書き込み領域の外の領域に記録されたデータに基づいて前記書き込み領域にデータを記録する記録手段とを備えたことを特徴とする記録装置。
【請求項２】
記録媒体フォーマット規格で指定された書き込み領域外にデータ記録可能な領域を備えたことを特徴とする記録媒体。
【請求項３】
記録媒体フォーマット規格で指定された書き込み領域外にプリスタンプでデータが形成されている領域を備えたことを特徴とする記録媒体。
【請求項４】
コンピュータに、記録媒体の記録媒体フォーマット規格で指定された書き込み領域の外の領域を参照する参照手順と、該参照手順によって参照した前記書き込み領域の外の領域に記録されたデータに基づいてデータを作成する作成手順と、該作成手順によって作成したデータを前記書き込み領域に記録する記録手順とを実行させるためのプログラム。
【請求項５】
コンピュータに、記録媒体の記録媒体フォーマット規格で指定された書き込み領域外の領域を参照する参照手順と、該参照手順によって参照した前記書き込み領域の外の領域からデータを作成して前記記録媒体の書き込み領域に記録する手順を実行させるためのプログラムを読み出して起動させる起動手順とを実行させるためのプログラム。
【請求項６】
記録媒体に記録された管理情報を参照する参照手段と、該参照手段によって参照した管理情報に規定された書き込み領域より外の領域に記録されたデータ又はプログラムを読み出す読出手段と、該読出手段によって読み出されたデータ又はプログラムを用いてデータを加工する加工手段と、該加工手段によって加工されたデータを前記書き込み領域に記録する記録手段とを備えたことを特徴とする記録装置。
【請求項７】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項６記載の記録装置。
【請求項８】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項６記載の記録装置。
【請求項９】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項６記載の記録装置。
【請求項１０】
前記読出手段は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す手段であることを特徴とする請求項６乃至９のいずれか一項に記載の記録装置。
【請求項１１】
記録媒体に記録された管理情報を参照する参照工程と、該参照工程によって参照した管理情報に規定された書き込み領域より外の領域に記録されたデータ又はプログラムを読み出す読出工程と、該読出工程によって読み出されたデータ又はプログラムを用いてデータを加工する加工工程と、該加工工程によって加工されたデータを前記書き込み領域に記録する記録工程とからなることを特徴とする記録方法。
【請求項１２】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１１記載の記録方法。
【請求項１３】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項１１記載の記録方法。
【請求項１４】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１１記載の記録方法。
【請求項１５】
前記読出工程は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す工程であることを特徴とする請求項１１乃至１４のいずれか一項に記載の記録方法。
【請求項１６】
コンピュータに、記録媒体に記録された管理情報を参照する参照手順と、該参照手順によって参照した管理情報に規定された書き込み領域より外の領域に記録されたデータ又はプログラムを読み出す読出手順と、該読出手順によって読み出されたデータ又はプログラムを用いてデータを加工する加工手順と、該加工手順によって加工されたデータを前記書き込み領域に記録する記録手順とを実行させるためのプログラム。
【請求項１７】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１６記載のプログラム。
【請求項１８】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項１６記載のプログラム。
【請求項１９】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１６記載のプログラム。
【請求項２０】
前記読出手順は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す手順であることを特徴とする請求項１６乃至１９のいずれか一項に記載のプログラム。
【請求項２１】
情報の書き込みが可能な記録媒体であって、書き込み領域に関する規定を含む管理情報が記録されており、前記管理情報に規定された書き込み領域より外の領域にデータ又はプログラムの記憶領域を備えたことを特徴とする記録媒体。
【請求項２２】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項２１記載の記録媒体。
【請求項２３】
前記管理情報は、前記記録媒体における書き込み領域として物理的に確保可能な最大アドレスよりも小さなアドレスを前記書き込み領域の可能な最大アドレスとして規定している情報であることを特徴とする請求項２１記載の記録媒体。
【請求項２４】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項２１記載の記録媒体。
【請求項２５】
前記データ又はプログラムの記録領域に、予めデータまたはプログラムが記録されていることを特徴とする請求項２１乃至２４のいずれか一項に記載の記録媒体。
【請求項２６】
前記データ又はプログラムの記録領域に、予めプリスタンプでデータまたはプログラムが記録されていることを特徴とする請求項２１乃至２４のいずれか一項に記載の記録媒体。
【請求項２７】
前記管理情報に、前記書き込み領域外にデータ又はプログラムの記録領域を備えた記録媒体であることを示す情報が記録されていることを特徴とする請求項２１乃至２６のいずれか一項に記載の記録媒体。
【発明の詳細な説明】
【技術分野】
【０００１】
この発明は、ＣＤ−Ｒドライブ，ＣＤ−ＲＷドライブ，ＤＶＤ−Ｒドライブ，ＤＶＤ＋Ｒドライブ，ＤＶＤ−ＲＷドライブ，ＤＶＤ＋ＲＷドライブ等の記録装置とＣＤ−Ｒディスク，ＣＤ−ＲＷディスク，ＤＶＤ−Ｒディスク，ＤＶＤ＋Ｒディスク，ＤＶＤ−ＲＷディスク，ＤＶＤ＋ＲＷディスク，ＤＶＤ−ＲＡＭディスク等の記録可能な記録媒体とコンピュータに記録媒体へのデータ記録を実行させるためのプログラムとに関する。
【背景技術】
【０００２】
近年、パーソナルコンピュータ（ＰＣ）で利用される記録媒体として大容量で可搬性のある各種の光ディスクが普及している。
代表的な光ディスクとしては、追記型としてＣＤ−Ｒディスク，ＤＶＤ−Ｒディスク，ＤＶＤ＋Ｒディスク、また書き換え可能型としてＣＤ−ＲＷディスク，ＤＶＤ−ＲＷディスク，ＤＶＤ＋ＲＷディスクなどがある。さらに、読み出し専用としてＣＤ−ＲＯＭディスク，ＤＶＤ−ＲＯＭディスクなどが広く普及している。
【０００３】
従来、汎用の記録装置用の記録媒体フォーマット規格で指定された領域内において、予め出荷時にプログラムが記録された記録済み領域と出荷後にデータの書き込みが出来る未記録領域とからなり、ハイブリッドディスク（ハイブリッド記録媒体）と呼ばれる光ディスク（例えば、特許文献１参照）があった。上記汎用とは、業界標準技術として制定された規格準拠の意味である。
そのハイブリッドディスクの中には、記録済み領域を書き換え可能な記録媒体の構造を利用して、グルーブに新たにピットを形成することで実現しているものがあり、そのようなハイブリッドディスクの製法は、製造コストを最小限に押さえる為に採用されたものである。
【特許文献１】特開平６−３４９２４８号公報
【発明の開示】
【発明が解決しようとする課題】
【０００４】
しかしながら、従来のハイブリッドディスクと呼ばれる光ディスクは、記録媒体の汎用の記録装置用の記録媒体フォーマット規格で指定された書き込み領域が決まっており、出荷時記録済み領域に誤ってデータを記録してしまうと、出荷時記録済み領域に記録されていたデータやプログラムが再生できないばかりか記録したデータが無意味なデータとして記録されてしまうという問題があった。
そのような状況で、ＤＶＤ＋ＲＷディスクについては、媒体規格上セッション追記は規定されておらず、追記する場合、データ領域後のリードアウト（Ｌｅａｄ−Ｏｕｔ）領域を消去して追記する仕様になっている。
その為、ＤＶＤ＋ＲＷディスクについて、従来通り上述の製法によるハイブリッドディスクを製作した場合、データを追記する場合に、リードアウト領域のデータが無意味なデータとして記録されてしまうという問題が生じる。
【０００５】
また、ユーザに対して直ぐにサービスを始められるように、予めプログラムやデータがプリレコード（工場等で市場での書き込みと同様に書き込んでおくこと）された光ディスクもあるが、その場合、市場での書き込みと同じように記録されているので、書き込まれたプログラムやデータは市場の書き込み環境で消去しようと思えば消去することができ、間違って消してしまうという問題もあった。
この発明は上記の点に鑑みてなされたものであり、記録媒体の汎用の記録装置用の記録媒体フォーマット規格で指定された書き込み領域外を利用して通常の情報記録装置において出荷時に予め記録されたデータが誤って消去されないようにすることを目的とする。
【課題を解決するための手段】
【０００６】
この発明は上記の目的を達成するため、次の記録装置と記録媒体とプログラムを提供する。
（１）記録媒体の記録媒体フォーマット規格で指定された書き込み領域の外の領域を参照する参照手段と、その参照手段によって参照した上記書き込み領域の外の領域に記録されたデータに基づいて上記書き込み領域にデータを記録する記録手段を備えた記録装置。
（２）記録媒体フォーマット規格で指定された書き込み領域外にデータ記録可能な領域を備えた記録媒体。
（３）記録媒体フォーマット規格で指定された書き込み領域外にプリスタンプでデータが形成されている領域を備えた記録媒体。
【０００７】
（４）コンピュータに、記録媒体の記録媒体フォーマット規格で指定された書き込み領域の外の領域を参照する参照手順と、その参照手順によって参照した上記書き込み領域の外の領域に記録されたデータに基づいてデータを作成する作成手順と、その作成手順によって作成したデータを上記書き込み領域に記録する記録手順を実行させるためのプログラム。
（５）コンピュータに、記録媒体の記録媒体フォーマット規格で指定された書き込み領域の外の領域を参照する参照手順と、その参照手順によって参照した上記書き込み領域の外の領域からデータを作成して上記記録媒体の書き込み領域に記録する手順を実行させるためのプログラムを読み出して起動させる起動手順を実行させるためのプログラム。
【０００８】
（６）記録媒体に記録された管理情報を参照する参照手段と、その参照手段によって参照した管理情報に規定された書き込み領域より外の領域に記録されたデータ又はプログラムを読み出す読出手段と、その読出手段によって読み出されたデータ又はプログラムを用いてデータを加工する加工手段と、その加工手段によって加工されたデータを上記書き込み領域に記録する記録手段を備えた記録装置。
（７）上記（６）の記録装置において、上記管理情報は、上記記録媒体における書き込み領域の記憶容量として物理的に確保可能な最大記憶容量よりも少ない記憶容量を上記書き込み領域の記憶容量として規定している情報である記録装置。
（８）上記（６）の記録装置において、上記管理情報は、上記記録媒体における書き込み領域として物理的に確保可能な最大アドレスよりも小さなアドレスを上記書き込み領域の書き込み可能な最大アドレスとして規定している情報である記録装置。
【０００９】
（９）上記（６）の記録装置において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録装置。
（１０）上記（６）〜（９）のいずれかの記録装置において、上記読出手段は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す手段である記録装置。
【００１０】
（１１）記録媒体に記録された管理情報を参照する参照工程と、その参照工程によって参照した管理情報に規定された書き込み領域より外の領域に記録されたデータ又はプログラムを読み出す読出工程と、その読出工程によって読み出されたデータ又はプログラムを用いてデータを加工する加工工程と、その加工工程によって加工されたデータを上記書き込み領域に記録する記録工程とからなる記録方法。
（１２）上記（１１）の記録方法において、上記管理情報は、上記記録媒体における書き込み領域の記憶容量として物理的に確保可能な最大記憶容量よりも少ない記憶容量を上記書き込み領域の記憶容量として規定している情報である記録方法。
（１３）上記（１１）の記録方法において、上記管理情報は、上記記録媒体における書き込み領域として物理的に確保可能な最大アドレスよりも小さなアドレスを上記書き込み領域の書き込み可能な最大アドレスとして規定している情報である記録方法。
【００１１】
（１４）上記（１１）の記録方法において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録方法。
（１５）上記（１１）〜（１４）のいずれかの記録方法において、上記読出工程は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す工程である記録方法。
【００１２】
（１６）コンピュータに、記録媒体に記録された管理情報を参照する参照手順と、その参照手順によって参照した管理情報に規定された書き込み領域より外の領域に記録されたデータ又はプログラムを読み出す読出手順と、その読出手順によって読み出されたデータ又はプログラムを用いてデータを加工する加工手順と、その加工手順によって加工されたデータを上記書き込み領域に記録する記録手順を実行させるためのプログラム。
（１７）上記（１６）のプログラムにおいて、上記管理情報は、上記記録媒体における書き込み領域の記憶容量として物理的に確保可能な最大記憶容量よりも少ない記憶容量を上記書き込み領域の記憶容量として規定している情報であるプログラム。
（１８）上記（１６）のプログラムにおいて、上記管理情報は、上記記録媒体における書き込み領域として物理的に確保可能な最大アドレスよりも小さなアドレスを上記書き込み領域の書き込み可能な最大アドレスとして規定している情報であるプログラム。
【００１３】
（１９）上記（１６）のプログラムにおいて、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報であるプログラム。
（２０）上記（１６）〜（１９）のいずれかのプログラムにおいて、上記読出手順は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す手順であるプログラム。
【００１４】
（２１）情報の書き込みが可能な記録媒体であって、書き込み領域に関する規定を含む管理情報が記録されており、上記管理情報に規定された書き込み領域より外の領域にデータ又はプログラムの記憶領域を備えた記録媒体。
（２２）上記（２１）の記録媒体において、上記管理情報は、上記記録媒体における書き込み領域の記憶容量として物理的に確保可能な最大記憶容量よりも少ない記憶容量を上記書き込み領域の記憶容量として規定している情報である記録媒体。
（２３）上記（２１）の記録媒体において、上記管理情報は、上記記録媒体における書き込み領域として物理的に確保可能な最大アドレスよりも小さなアドレスを上記書き込み領域の可能な最大アドレスとして規定している情報である記録媒体。
【００１５】
（２４）上記（２１）の記録媒体において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録媒体。
（２５）上記（２１）〜（２４）のいずれかの記録媒体において、上記データ又はプログラムの記録領域に、予めデータまたはプログラムが記録されている記録媒体。
（２６）上記（２１）〜（２４）のいずれかの記録媒体において、上記データ又はプログラムの記録領域に、予めプリスタンプでデータまたはプログラムが記録されている記録媒体。
（２７）上記（２１）〜（２６）のいずれかの記録媒体において、上記管理情報に、上記書き込み領域外にデータ又はプログラムの記録領域を備えた記録媒体であることを示す情報が記録されている記録媒体。
【発明の効果】
【００１６】
この発明による記録装置と記録方法とプログラムは、記録媒体の記録媒体フォーマット規格で指定された書き込み領域外を利用して通常の情報記録装置において出荷時に予め記録されたデータが誤って消去されないようにすることができる。
【発明を実施するための最良の形態】
【００１７】
〔実施例１〕
以下、この発明の実施例を図面に基づいて具体的に説明する。
図１は、この発明の一実施例である情報記録装置の構成を示すブロック図である。
図２は、図１に示すＤＶＤ＋ＲＷドライブ装置の内部構成を示すブロック図である。
図１に示すように、この情報記録装置は、この発明に係る記録装置に相当し、上位装置１とＤＶＤ＋ＲＷドライブ装置２とからなり、上位装置１は、ＣＰＵ１０，外部記憶装置１１，内部記憶装置１２，プログラム格納部１３，表示制御装置１４，ディスプレイ１５，キーボード１６，マウス１７，ＲＡＭ１８等がバス１９を介して接続されたパーソナルコンピュータ等の情報処理装置（ホストコンピュータ）である。
【００１８】
ＣＰＵ１０は、この上位装置１の全体の制御を司り、内部記憶装置１２に記憶されたオペレーションシステムプログラムとプログラム格納部１３に格納されたプログラムを実行してこの発明に係る各種の制御処理も実行する。
外部記憶装置１１は、ＣＰＵ１０の各種の処理結果であるデータを記憶するハードディスク装置等の記憶装置である。内部記憶装置１２は、ＣＰＵ１０が実行するオペレーションシステムプログラムを格納するメモリである。プログラム格納部１３は、ＣＰＵ１０が実行する各種のプログラムを格納するメモリである。
【００１９】
表示制御装置１４は、ディスプレイ１５の表示制御を司る。ディスプレイ１５は、ＣＲＴ，ＬＣＤ等の表示装置である。キーボード１６とマウス１７は、オペレータが各種の操作情報を入力する入力装置である。ＲＡＭ１８は、ＣＰＵ１０が各種の処理を実行する際に使用する作業領域のメモリである。バス１９は、上記各部間で各種のデータのやり取りをする通信線である。
【００２０】
すなわち、上記プログラム格納部１３に、コンピュータに、汎用の記録装置用に定められた記録媒体フォーマット規格で指定された記録媒体の書き込み領域の外の領域を参照する参照手順と、その参照手順によって参照した上記書き込み領域の外の領域に記録されたデータに基づいてデータを作成する作成手順と、その作成手順によって作成したデータを上記書き込み領域に記録する記録手順を実行させるためのプログラムと、コンピュータに、汎用の記録装置用に定められた記録媒体フォーマット規格で指定された記録媒体の書き込み領域外の領域を参照する参照手順と、その参照手順によって参照した上記書き込み領域の外の領域からデータを作成して上記記録媒体の書き込み領域に記録する手順を実行させるためのプログラムを読み出して起動させる起動手順を実行させるためのプログラムを格納する。
【００２１】
そして、ＣＰＵ１０がそのプログラムを実行することによって、汎用の記録装置用に定められた記録媒体フォーマット規格で指定された記録媒体の書き込み領域の外の領域を参照する参照手段と、その参照手段によって参照した上記書き込み領域の外の領域に記録されたデータに基づいて上記書き込み領域にデータを記録する記録手段の機能を果たす。
上記汎用の記録装置とは、業界標準技術として制定された規格準拠の記録装置である。
【００２２】
ＤＶＤ＋ＲＷドライブ装置２は、図２に示すように、スピンドルモータ２０，回転制御部２１，光ピックアップ２２，アクチュエータ制御部２３，信号制御部２４，ドライブコントローラ２５，バッファ２６，レーザ駆動回路２７，外部インタフェイス２８からなる。スピンドルモータ（モータ）２０は、ＣＤ−Ｒディスク，ＣＤ−ＲＷディスク，ＤＶＤ−Ｒディスク，ＤＶＤ＋Ｒディスク，ＤＶＤ−ＲＷディスク，ＤＶＤ＋ＲＷディスク等の光ディスク３０をデータ記録時及びデータ再生時にそれぞれの所定の回転速度で回転させるモータである。回転制御部２１は、モータ２０の回転制御を行う。
光ピックアップ２２は、光ディスク３０にデータを記録及び光ディスク３０に記録されたデータを再生するときにそれぞれ所定の記録パワーでレーザ光（レーザビーム）Ｌを発光させて照射する装置である。
【００２３】
アクチュエータ制御部２３は、光ピックアップ２２を光ディスク３０に対してフォーカシング及びトラッキングするときに移動させる制御を行う。
信号制御部２４は、光ピックアップ２２から出力される再生信号及び光ピックアップ２２に出力する記録信号を制御する。
ドライブコントローラ２５は、ＣＰＵ，ＲＯＭ及びＲＡＭ等からなるマイクロコンピュータによって実現され、この装置全体の制御を行うと共に、上位装置１からの指示に基づいて情報の記録及び再生を行う。
バッファ２６は、ドライブコントローラ２５がデータ格納等の一時記憶領域として使用するメモリである。レーザ駆動回路２７は、光ピックアップ２２のレーザ光Ｌの発光を駆動する。外部インタフェイス２８は、上位装置１との間でコマンド，データ等の送受信を行うために使用される。
【００２４】
次に、上記光ディスク３０について詳しく説明する。
記録媒体のフォーマット規格としては、例えば、ＣＤ−Ｒディスク，ＣＤ−ＲＷディスク等のＣＤ系に関しては、ソニー（ＳＯＮＹ）社とフィリップス（Ｐｈｉｌｉｐｓ）社（いずれも登録商標）を中心に制定されたオレンジブック規格がある。また、ＤＶＤ−ＲＡＭディスク，ＤＶＤ−Ｒディスク，ＤＶＤ−ＲＷディスク等のＤＶＤ系に関しては、ＤＶＤフォーラム（Ｆｏｒｕｍ）が中心となって制定したＤＶＤ−ＲＡＭ／Ｒ／ＲＷ規格がある。さらに、ＤＶＤ＋アライアンスを中心に制定されたＤＶＤ＋ＲＷ／＋Ｒ規格がある。
それらの規格のうち、ＤＶＤ−ＲＡＭディスク，ＤＶＤ−ＲＷディスク，ＤＶＤ＋ＲＷディスクは、セッションが１つのシングルセッション構成であり、それ以外のディスクはマルチセッション構成をサポートし、複数のセッションでの記録も規定されている。
【００２５】
上記規格では、光ディスクに対して、読み出しをサポートしている情報再生装置、例えば、ＣＤであれば、ＣＤプレーヤ，ＣＤ−ＲＯＭドライブ、ＤＶＤであれば、ＤＶＤ−ＲＯＭドライブ，ＤＶＤプレーヤでの再生を考慮し、予め規定されたセッション（「汎用の記録装置用に定められた記録媒体フォーマット規格で指定された書き込み領域」に相当する）の中にデータを記録するように規定されている。したがって、汎用の書き込みドライブ（汎用の記録装置）では、その規定されたセッションの中にデータが記録される。
【００２６】
図３は、図１に示した光ディスク３０のフォーマットを示す図である。
図３の（ａ）は、ＤＶＤ−ＲＡＭディスク，ＤＶＤ−ＲＷディスク，ＤＶＤ＋ＲＷディスクのシングルセッション構成の場合を示しており、リードイン（Ｌｅａｄ−Ｉｎ）領域４０，データ（Ｄａｔａ）領域４１，リードアウト（Ｌｅａｄ−Ｏｕｔ）領域４２からなる１つのセッションが汎用の記録装置用に定められた記録媒体フォーマット規格で指定された書き込み領域に相当し、この発明に係る汎用の記録装置用に定められた記録媒体フォーマット規格で指定された書き込み領域の外の領域として、リードアウト領域４２の外周側の斜線を施して示す領域４３又はリードイン領域４０の内周側の斜線を施して示す領域４４に予めデータ又はプログラムを記録する。
【００２７】
また、図３の（ｂ）は、ＣＤ−Ｒディスク，ＣＤ−ＲＷディスク，ＤＶＤ−Ｒディスク，ＤＶＤ＋Ｒディスク，ＤＶＤ−ＲＷディスクのマルチセッション構成の場合を示しており、リードイン（Ｌｅａｄ−Ｉｎ）領域（リードイン領域１）５０，データ（Ｄａｔａ）領域（データ領域１）５１，リードアウト（Ｌｅａｄ−Ｏｕｔ）領域（リードアウト領域１）５２からなる第１セッションからリードイン領域（リードイン領域Ｎ）５３，データ領域（データ領域Ｎ）５４，リードアウト領域（リードアウト領域Ｎ）５５からなる第Ｎセッション（Ｎは正の整数）までのＮ個のセッションからなる領域が汎用の記録装置用に定められた記録媒体フォーマット規格で指定された書き込み領域に相当する。
【００２８】
さらに、この発明に係る汎用の記録装置用に定められた記録媒体フォーマット規格で指定された書き込み領域の外の領域として、汎用の記録装置用に定められた記録媒体フォーマット規格で指定された最終書き込み領域（最終セッション，第Ｎセッション）のリードアウト領域５５の外周側の斜線を施して示す領域５６又は最初の書き込み領域（第１セッション）のリードイン領域５０の内周側の斜線を施して示す領域５７に予めデータ又はプログラムを記録する。
上記領域４３，４４，５６，５７へのデータ又はプログラムの記録は、プリスタンプで行っても良い。
【００２９】
すなわち、上記光ディスク３０が、この発明に係る汎用の記録装置用に定められた記録媒体フォーマット規格で指定された書き込み領域外にデータ記録可能な領域を備えた記録媒体と、汎用の記録装置用に定められた記録媒体フォーマット規格で指定された書き込み領域外にプリスタンプでデータが形成されている領域を備えた記録媒体に相当する。
したがって、光ディスク３０は、通常の光ディスク記録装置（汎用の記録装置）で使用されるときには、その汎用の記録装置用の記録媒体フォーマット規格で指定された書き込み領域のみ参照し、その書き込み領域にのみデータが記録される。
【００３０】
まず、上位装置１のプログラム格納部１３に格納したプログラムに汎用の記録装置用の記録媒体フォーマット規格で指定された書き込み領域外にデータ記録可能な領域を備えた記録媒体であることを示す情報を追加して記録しておく。
具体的には、光ディスク装置についてのコマンド仕様標準書である「ＳＦＦ８０９０Ｉ  Ｖ１．４８（Ｄｒａｆｔ）規格書」より抜粋における１４．４  ゲット・コンフィギュレーション・コマンド（Ｇｅｔ  Ｃｏｎｆｉｇｕｒａｔｉｏｎ  Ｃｏｍｍａｎｄ）の項目に記載されているテーブル１２８プロファイルリスト（Ｔａｂｌｅ１２８  Ｐｒｏｆｉｌｅ  Ｌｉｓｔ）に、汎用の記録装置用の記録媒体フォーマット規格で指定された書き込み領域外にデータ記録可能な領域を備えた記録媒体であることを示す情報を追加して記録しておく。
【００３１】
そして、上位装置１はＤＶＤ＋ＲＷドライブ装置２から光ディスクの挿入を知らせる通知を受け取ると、ＤＶＤ＋ＲＷドライブ装置２へゲット・コンフィギュレーション・コマンドを送り、ＤＶＤ＋ＲＷドライブ装置２は、上記光ディスク３０が挿入された場合、それを検出し、その光ディスク３０をマウントした旨を示す情報（汎用の記録装置用の記録媒体フォーマット規格で指定された書き込み領域外にデータ記録可能な領域を備えた記録媒体であることを示す情報）を上位装置１へ通知する。
したがって、上位装置１はＤＶＤ＋ＲＷドライブ装置２に汎用の記録装置用の記録媒体フォーマット規格で指定された書き込み領域外にデータ記録可能な領域を備えた光ディスク３０が挿着されたことを認識することができる。
【００３２】
また、上記規格書の１４．２０の項目に記載されているリード・キャパシティ・コマンド（Ｒｅａｄ  Ｃａｐａｃｉｔｙ  Ｃｏｍｍａｎｄ）にＤＶＤ＋ＲＷドライブ装置２は汎用の記録装置用の記録媒体フォーマット規格で指定された書き込み領域外にデータ記録可能な領域を備えた記録媒体に対応するビット（Ｂｉｔ）設定を設け、上位装置１からＤＶＤ＋ＲＷドライブ装置２へ、そのリード・キャパシティ・コマンドを送ることにより、そのビットが立っていたら、ＤＶＤ＋ＲＷドライブ装置２は上記規格書の１４．２０の項目に記載されているテーブル２８６と同様の情報として、光ディスク３０の汎用の記録装置用の記録媒体フォーマット規格で指定された書き込み領域外にデータ記録可能な領域についてロジカルブロックアドレスとブロックレングス（ブロック長）を上位装置１へ通知する。したがって、上位装置１は汎用の記録装置用の記録媒体フォーマット規格で指定された光ディスク３０の書き込み領域外にデータ記録可能な領域の位置を認識することができる。
【００３３】
さらに、上記規格書の１４．１６の項目に記載されているリードコマンド（Ｒｅａｄ  Ｃｏｍｍａｎｄ）と、１４．４８の項目に記載されているライトコマンド（Ｗｒｉｔｅ  Ｃｏｍｍａｎｄ）について、上記リード・キャパシティ・コマンドによってロジカルブロックアドレスとブロックレングス（ブロック長）を知らせた領域（「汎用の記録装置用の記録媒体フォーマット規格で指定された書き込み領域外にデータ記録可能な領域」に相当する）に対してのデータの読み出しとデータの書き込みができるように定義しておく。
もしくは、データの読み出しとデータの書き込みについての新たなリードコマンドとライトコマンドを従来と同様の書式で定義して設けても良い。
【００３４】
このように、上位装置１のプログラム格納部１３に格納したプログラムには、ＤＶＤ＋ＲＷドライブ装置２に対してのコマンド仕様の書き込みコマンド，読み出しコマンドの対象領域を光ディスク３０の規定されたセッション以外の領域（汎用の記録装置用の記録媒体フォーマット規格で指定された書き込み領域の外の領域に相当する）に拡張するように予め定義しておく。また、対象領域を規定されたセッション以外の領域に対する新たな書き込みコマンド，読み出しコマンドを追加するようにしても良い。
そして、上位装置１はリードコマンドとライトコマンドをＤＶＤ＋ＲＷドライブ装置２へ送ることによって光ディスク３０上の規定されたセッション以外の領域（汎用の記録装置用の記録媒体フォーマット規格で指定された書き込み領域外にデータ記録可能な領域）に対してもデータ書き込み，データ読み出しを指示する。
【００３５】
次に、この情報記録装置の処理について説明する。
図４は、図１に示した情報記録装置の処理を示すフローチャート図である。
上位装置１のＣＰＵ１０は、ステップ（図中「Ｓ」で示す）１でＤＶＤ＋ＲＷドライブ装置に光ディスクが挿入されたか否かを判断し、ＤＶＤ＋ＲＷドライブ装置からの通知に基づいて光ディスクが挿入されたと判断したら、ステップ２でＤＶＤ＋ＲＷドライブ装置へゲット・コンフィギュレーション・コマンドを送り、ＤＶＤ＋ＲＷドライブ装置からの通知に基づいて汎用の記録装置用の記録媒体フォーマット規格で指定された書き込み領域の外の領域を有する光ディスクか否かを判断し、その光ディスクでなければステップ４でその光ディスクの種類に対応した動作を実行する。
【００３６】
ステップ２の判断で汎用の記録装置用の記録媒体フォーマット規格で指定された書き込み領域の外の領域を有する光ディスクと判断したら、ＤＶＤ＋ＲＷドライブ装置へリード・キャパシティ・コマンドを送り、ＤＶＤ＋ＲＷドライブ装置からの通知に基づいて汎用の記録装置用の記録媒体フォーマット規格で指定された光ディスクの書き込み領域の外の領域の情報を取得し、リードコマンドによって汎用の記録装置用の記録媒体フォーマット規格で指定された光ディスクの書き込み領域の外の領域を参照し、その参照した領域に記録されているデータ又はプログラムを取得し、そのデータ又はプログラムに基づく処理を実行してデータを作成し、ＤＶＤ＋ＲＷドライブ装置へライトコマンドと共にその作成したデータを送り、汎用の記録装置用の記録媒体フォーマット規格で指定された光ディスクの書き込み領域に記録し、ステップ１へ戻る。
【００３７】
例えば、予め図３に斜線を施して示した領域に画像格納用のテンプレートやバックグラウンドミュージックなどの付加情報を格納しておき、上位装置１がその付加情報を取得し、その付加情報に基づいて静止画，音声，動画などのマルチメディアコンテンツの作成と飾り付けの処理を実行し、その作成されたマルチメディアコンテンツのデータを汎用の記録装置用の記録媒体フォーマット規格で指定された光ディスク３０の書き込み領域に記録する。
【００３８】
また、例えば、予め図３に斜線を施して示した領域にプログラムを格納しておき、上位装置１がそのプログラムを取得し、そのプログラムを実行することによってデータを作成し、汎用の記録装置用の記録媒体フォーマット規格で指定された光ディスク３０の書き込み領域にそのデータを記録する。
さらに、例えば、予め図３に斜線を施して示した領域に予め暗号用の鍵を記録しておき、その鍵によって上位装置で作成したデータを暗号化して光ディスクに記録するようにすれば、データの保護も行える。
【００３９】
このようにして、当該記録媒体用の汎用の読み出し装置，書き込み装置でアクセスできない領域のデータを、当該装置でアクセスできる領域への記録に利用することにより、アクセスできる領域のデータの暗号化等の隠蔽を容易に行える。
また、その隠蔽用のデータを汎用の読み出し装置で読むことは出来ないので、安全性を高めることができ、汎用の書き込み装置で書き込み出来ないので、書き換え可能媒体の場合でも、最終書き込み領域に指定された領域の外に記録されたデータを書き換えてしまうこともない。
さらに、付加情報をプリスタンプで記録しておくことにより、ベース（属性）が書き換え可能媒体の場合でも、最終書き込み領域に指定された領域の外に記録されたデータを、請求項１の書き込み装置を使用しても、誤って書き換えてしまうことはない。
【００４０】
次に、上記情報記録装置のプログラム格納部１３に、コンピュータに、記録媒体に記録された管理情報を参照する参照手順と、その参照手順によって参照した管理情報に規定された書き込み領域より外の領域に記録されたデータ又はプログラムを読み出す読出手順と、その読出手順によって読み出されたデータ又はプログラムを用いてデータを加工する加工手順と、その加工手順によって加工されたデータを上記書き込み領域に記録する記録手順を実行させるためのプログラムを格納する。
【００４１】
そして、ＣＰＵ１０がそのプログラムを実行することによって、記録媒体に記録された管理情報を参照する参照工程と、その参照工程によって参照した管理情報に規定された書き込み領域より外の領域に記録されたデータ又はプログラムを読み出す読出工程と、その読出工程によって読み出されたデータ又はプログラムを用いてデータを加工する加工工程と、その加工工程によって加工されたデータを上記書き込み領域に記録する記録工程とからなる記録方法を実行する。
すなわち、ＣＰＵ１０が、記録媒体に記録された管理情報を参照する参照手段と、その参照手段によって参照した管理情報に規定された書き込み領域より外の領域に記録されたデータ又はプログラムを読み出す読出手段と、その読出手段によって読み出されたデータ又はプログラムを用いてデータを加工する加工手段と、その加工手段によって加工されたデータを上記書き込み領域に記録する記録手段の機能を果たす。
【００４２】
また、上記管理情報を、上記記録媒体における書き込み領域の記憶容量として物理的に確保可能な最大記憶容量よりも少ない記憶容量を上記書き込み領域の記憶容量として規定している情報にするとよい。
あるいは、上記管理情報を、上記記録媒体における書き込み領域として物理的に確保可能な最大アドレスよりも小さなアドレスを上記書き込み領域の書き込み可能な最大アドレスとして規定している情報にするとよい。
あるいはまた、上記管理情報を、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報にするとよい。
【００４３】
この場合の光ディスクは、情報の書き込みが可能な記録媒体であって、書き込み領域に関する規定を含む管理情報が記録されており、上記管理情報に規定された書き込み領域より外の領域にデータ又はプログラムの記憶領域を備えている。
また、上記管理情報を、上記記録媒体における書き込み領域の記憶容量として物理的に確保可能な最大記憶容量よりも少ない記憶容量を上記書き込み領域の記憶容量として規定している情報にするとよい。
あるいは、上記管理情報を、上記記録媒体における書き込み領域として物理的に確保可能な最大アドレスよりも小さなアドレスを上記書き込み領域の可能な最大アドレスとして規定している情報にするとよい。
あるいはまた、上記管理情報を、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報にするとよい。
【００４４】
さらに、上記光ディスクの上記データ又はプログラムの記録領域に、予めデータまたはプログラムを記録するとよい。
あるいは、上記光ディスクの上記データ又はプログラムの記録領域に、予めプリスタンプでデータまたはプログラムを記録するとよい。
さらに、上記管理情報に、上記書き込み領域外にデータ又はプログラムの記録領域を備えた記録媒体であることを示す情報を記録するとよい。
【００４５】
例えば、ＤＶＤ＋Ｒディスク，ＤＶＤ＋ＲＷディスクでは、図３の（ａ）に示すリードイン領域４０内に、コントロール・データ・ゾーン（ｃｏｎｔｒｏｌ  ｄａｔａ  ｚｏｎｅ）が有り、その中にラスト・ポシブル・フィジカル・セクタ（ｌａｓｔ  ｐｏｓｓｉｂｌｅ  ｐｈｙｓｉｃａｌ  ｓｅｃｔｏｒ）として書き込み領域として確保可能な最大アドレスが規定されている。
そこで、そのラスト・ポシブル・フィジカル・セクタの値を、この発明に係る管理情報として、記録媒体における書き込み領域の記憶容量として物理的に確保可能な最大記憶容量よりも少ない記憶容量を上記書き込み領域の記憶容量として規定し、実際の物理容量よりも小さな容量に見せかけるようにする。
【００４６】
また、ＣＤ−Ｒディスク，ＣＤ−ＲＷディスクでは、アブソリュート・タイム・イン・グルーブ（Ａｂｓｏｌｕｔｅ  ｔｉｍｅ  ｉｎ  ｇｒｏｏｖｅ：ＡＴＩＰ）というアドレス識別の構造を備えているが、または、図３の（ｂ）に示すリードイン領域５０，５３内のＡＴＩＰにはラスト・ポシブル・スタート・タイム・オブ・リードアウト領域（ｌａｓｔ  ｐｏｓｓｉｂｌｅ  ｓｔａｒｔ  ｔｉｍｅ  ｏｆ  Ｌｅａｄ−ｏｕｔ  Ａｒｅａ）として、終了を示す領域（Ｌｅａｄ−ｏｕｔ）の開始アドレスの可能な最大アドレスが規定されている。
そこで、そのラスト・ポシブル・スタート・タイム・オブ・リードアウト領域の値を、この発明に係る管理情報として、記録媒体における書き込み領域の記憶容量として物理的に確保可能な最大記憶容量よりも少ない記憶容量を上記書き込み領域の記憶容量として規定し、実際の物理容量よりも小さな容量に見せかけるようにする。
【００４７】
次に、ＣＰＵ１０が実行するプログラムの上記読出手順を、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す手順にすれば、上記記録方法において、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す読出工程を実行する。
この場合、ＣＰＵ１０の上記読出手段は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す手段に相当する。
【００４８】
次に、図５はこの発明の他の実施例である情報記録装置の構成を示すブロック図であり、図２と共通する部分には同一符号を付してその説明を省略する。
この情報記録装置は、パーソナルコンピュータ内にＤＶＤ＋ＲＷドライブ装置を組み込んでおり、パーソナルコンピュータからのデータ又はプログラムを信号受信部７０で受信し、データ変換部７１で所定の変換処理を施してドライブコントローラ２５へ出力する。
そして、不揮発性メモリ６０に、この発明に係る上記各プログラムを格納し、ドライブコントローラ２５がその各プログラムを実行することによって、この発明に係る記録方法を実行する。すなわち、この場合は、ドライブコントローラ２５がこの発明に係る記録装置の各手段の機能を果たす。また、光ディスク３０がこの発明に係る上記記録媒体に相当する。
【００４９】
次に、図６はこの発明のまた他の実施例である情報記録装置の構成を示すブロック図であり、図２，図５と共通する部分には同一符号を付してその説明を省略する。
この情報記録装置は、ＤＶＤ＋ＲＷドライブ装置２とそれを組み込んだ組み込み機器とからなり、組み込み機器の組み込み機器制御部３がこの発明に係る記録方法を実行する。
つまり、組み込み機器制御部３の不揮発性メモリ７３にこの発明に係る上記各プログラムを格納し、コントローラ７４がその各プログラムを実行することによって、この発明に係る記録方法を実行する。すなわち、この場合は、ドライブコントローラ２５がこの発明に係る記録装置の各手段の機能を果たす。また、光ディスク３０がこの発明に係る上記記録媒体に相当する。外部インタフェイス制御部６１，７２は、それぞれＤＶＤ＋ＲＷドライブ装置２とそれを組み込んだ組み込み機器との間のデータ又はプログラムのやり取りを制御する機能を果たす。
【産業上の利用可能性】
【００５０】
この発明による記録装置と記録媒体とプログラムは、デスクトップパソコン，ノートブックパソコン等のパーソナルコンピュータにおいても適用することができる。
【図面の簡単な説明】
【００５１】
【図１】この発明の一実施例である情報記録装置の構成を示すブロック図である。
【図２】図１に示すＤＶＤ＋ＲＷドライブ装置の内部構成を示すブロック図である。
【図３】図１に示した光ディスク３０のフォーマットを示す図である。
【図４】図１に示した情報記録装置の処理を示すフローチャート図である。
【図５】この発明の他の実施例である情報記録装置の構成を示すブロック図である。
【図６】この発明のまた他の実施例である情報記録装置の構成を示すブロック図である。
【符号の説明】
【００５２】
１：上位装置    ２：ＤＶＤ＋ＲＷドライブ装置    ３：組み込み機器制御部    １０：ＣＰＵ    １１：外部記憶装置    １２：内部記憶装置    １３：プログラム格納部    １４：表示制御装置    １５：ディスプレイ    １６：キーボード    １７：マウス    １８：ＲＡＭ    １９：バス    ２０：スピンドルモータ    ２１：回転制御部    ２２：光ピックアップ    ２３：アクチュエータ制御部    ２４：信号制御部    ２５：ドライブコントローラ    ２６：バッファ    ２７：レーザ駆動回路    ２８：外部インタフェイス    ３０：光ディスク
４０，５０，５３：リードイン領域    ４１，５１，５４：データ領域    ４２，５２，５５：リードアウト領域    ４３，４４，５６，５７：汎用の記録装置用の記録媒体フォーマット規格で指定された書き込み領域の外の領域    ６０，７３：不揮発性メモリ    ６１，７２：外部インタフェイス制御部    ７０：信号受信部    ７１：データ変換部    ７４：コントローラ
【図１】
2005100580.tif 000003
【図２】
2005100580.tif 000004
【図３】
2005100580.tif 000005
【図４】
2005100580.tif 000006
【図５】
2005100580.tif 000007
【図６】
2005100580.tif 000008
【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
情報の書き込みが可能な記録媒体に記録された管理情報を参照する参照手段と、該参照手段によって参照した管理情報に規定された書き込み領域より外の領域に記録されたデータ又はプログラムを読み出す読出手段と、該読出手段によって読み出されたデータ又はプログラムを用いてデータを加工する加工手段と、該加工手段によって加工されたデータを前記書き込み領域に記録する記録手段とを備えたことを特徴とする記録装置。
【請求項２】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１記載の記録装置。
【請求項３】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項１記載の記録装置。
【請求項４】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１記載の記録装置。
【請求項５】
前記読出手段は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す手段であることを特徴とする請求項１乃至４のいずれか一項に記載の記録装置。
【請求項６】
情報の書き込みが可能な記録媒体に記録された管理情報を参照する参照工程と、該参照工程によって参照した管理情報に規定された書き込み領域より外の領域に記録されたデータ又はプログラムを読み出す読出工程と、該読出工程によって読み出されたデータ又はプログラムを用いてデータを加工する加工工程と、該加工工程によって加工されたデータを前記書き込み領域に記録する記録工程とからなることを特徴とする記録方法。
【請求項７】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項６記載の記録方法。
【請求項８】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項６記載の記録方法。
【請求項９】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項６記載の記録方法。
【請求項１０】
前記読出工程は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す工程であることを特徴とする請求項６乃至９のいずれか一項に記載の記録方法。
【請求項１１】
コンピュータに、情報の書き込みが可能な記録媒体に記録された管理情報を参照する参照手順と、該参照手順によって参照した管理情報に規定された書き込み領域より外の領域に記録されたデータ又はプログラムを読み出す読出手順と、該読出手順によって読み出されたデータ又はプログラムを用いてデータを加工する加工手順と、該加工手順によって加工されたデータを前記書き込み領域に記録する記録手順とを実行させるためのプログラム。
【請求項１２】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１１記載のプログラム。
【請求項１３】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項１１記載のプログラム。
【請求項１４】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１１記載のプログラム。
【請求項１５】
前記読出手順は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す手順であることを特徴とする請求項１１乃至１４のいずれか一項に記載のプログラム。
【請求項１６】
情報の書き込みが可能な記録媒体であって、書き込み領域に関する規定を含む管理情報が記録されており、前記管理情報に規定された書き込み領域より外の領域に前記書き込み領域に記録するデータを加工するのに用いるデータ又はプログラムの記憶領域を備えたことを特徴とする記録媒体。
【請求項１７】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１６記載の記録媒体。
【請求項１８】
前記管理情報は、前記記録媒体における書き込み領域として物理的に確保可能な最大アドレスよりも小さなアドレスを前記書き込み領域の可能な最大アドレスとして規定している情報であることを特徴とする請求項１６記載の記録媒体。
【請求項１９】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１６記載の記録媒体。
【請求項２０】
前記データ又はプログラムの記録領域に、予め前記書き込み領域に記録するデータを加工するのに用いるデータまたはプログラムが記録されていることを特徴とする請求項１６乃至１９のいずれか一項に記載の記録媒体。
【請求項２１】
前記データ又はプログラムの記録領域に、予めプリスタンプで前記書き込み領域に記録するデータを加工するのに用いるデータまたはプログラムが記録されていることを特徴とする請求項１６乃至１９のいずれか一項に記載の記録媒体。
【請求項２２】
前記管理情報に、前記書き込み領域外に前記書き込み領域に記録するデータを加工するのに用いるデータ又はプログラムの記録領域を備えた記録媒体であることを示す情報が記録されていることを特徴とする請求項１６乃至２１のいずれか一項に記載の記録媒体。
【手続補正２】
【補正対象書類名】明細書
【補正対象項目名】０００５
【補正方法】変更
【補正の内容】
【０００５】
また、ユーザに対して直ぐにサービスを始められるように、予めプログラムやデータがプリレコード（工場等で市場での書き込みと同様に書き込んでおくこと）された光ディスクもあるが、その場合、市場での書き込みと同じように記録されているので、書き込まれたプログラムやデータは市場の書き込み環境で消去しようと思えば消去することができ、間違って消してしまうという問題もあった。
この発明は上記の点に鑑みてなされたものであり、通常の情報記録装置において出荷時に予め記録媒体に記録されたデータが誤って消去されないようにすることを目的とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
この発明は上記の目的を達成するため、次の記録装置と記録媒体とプログラムを提供する。
（１）情報の書き込みが可能な記録媒体に記録された管理情報を参照する参照手段と、その参照手段によって参照した管理情報に規定された書き込み領域より外の領域に記録されたデータ又はプログラムを読み出す読出手段と、その読出手段によって読み出されたデータ又はプログラムを用いてデータを加工する加工手段と、その加工手段によって加工されたデータを上記書き込み領域に記録する記録手段を備えた記録装置。
（２）上記（１）の記録装置において、上記管理情報は、上記記録媒体における書き込み領域の記憶容量として物理的に確保可能な最大記憶容量よりも少ない記憶容量を上記書き込み領域の記憶容量として規定している情報である記録装置。
（３）上記（１）の記録装置において、上記管理情報は、上記記録媒体における書き込み領域として物理的に確保可能な最大アドレスよりも小さなアドレスを上記書き込み領域の書き込み可能な最大アドレスとして規定している情報である記録装置。
【手続補正６】
【補正対象書類名】明細書
【補正対象項目名】０００９
【補正方法】変更
【補正の内容】
【０００９】
（４）上記（１）の記録装置において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録装置。
（５）上記（１）〜（４）のいずれかの記録装置において、上記読出手段は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す手段である記録装置。
【手続補正７】
【補正対象書類名】明細書
【補正対象項目名】００１０
【補正方法】変更
【補正の内容】
【００１０】
（６）情報の書き込みが可能な記録媒体に記録された管理情報を参照する参照工程と、その参照工程によって参照した管理情報に規定された書き込み領域より外の領域に記録されたデータ又はプログラムを読み出す読出工程と、その読出工程によって読み出されたデータ又はプログラムを用いてデータを加工する加工工程と、その加工工程によって加工されたデータを上記書き込み領域に記録する記録工程とからなる記録方法。
（７）上記（６）の記録方法において、上記管理情報は、上記記録媒体における書き込み領域の記憶容量として物理的に確保可能な最大記憶容量よりも少ない記憶容量を上記書き込み領域の記憶容量として規定している情報である記録方法。
（８）上記（６）の記録方法において、上記管理情報は、上記記録媒体における書き込み領域として物理的に確保可能な最大アドレスよりも小さなアドレスを上記書き込み領域の書き込み可能な最大アドレスとして規定している情報である記録方法。
【手続補正８】
【補正対象書類名】明細書
【補正対象項目名】００１１
【補正方法】変更
【補正の内容】
【００１１】
（９）上記（６）の記録方法において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録方法。
（１０）上記（６）〜（９）のいずれかの記録方法において、上記読出工程は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す工程である記録方法。
【手続補正９】
【補正対象書類名】明細書
【補正対象項目名】００１２
【補正方法】変更
【補正の内容】
【００１２】
（１１）コンピュータに、情報の書き込みが可能な記録媒体に記録された管理情報を参照する参照手順と、その参照手順によって参照した管理情報に規定された書き込み領域より外の領域に記録されたデータ又はプログラムを読み出す読出手順と、その読出手順によって読み出されたデータ又はプログラムを用いてデータを加工する加工手順と、その加工手順によって加工されたデータを上記書き込み領域に記録する記録手順を実行させるためのプログラム。
（１２）上記（１１）のプログラムにおいて、上記管理情報は、上記記録媒体における書き込み領域の記憶容量として物理的に確保可能な最大記憶容量よりも少ない記憶容量を上記書き込み領域の記憶容量として規定している情報であるプログラム。
（１３）上記（１１）のプログラムにおいて、上記管理情報は、上記記録媒体における書き込み領域として物理的に確保可能な最大アドレスよりも小さなアドレスを上記書き込み領域の書き込み可能な最大アドレスとして規定している情報であるプログラム。
【手続補正１０】
【補正対象書類名】明細書
【補正対象項目名】００１３
【補正方法】変更
【補正の内容】
【００１３】
（１４）上記（１１）のプログラムにおいて、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報であるプログラム。
（１５）上記（１１）〜（１４）のいずれかのプログラムにおいて、上記読出手順は、上記管理情報内に記録された上記書き込み領域外にデータ又はプログラムの記録領域を備えた記録媒体であることを示す情報に基づいて、上記管理情報に規定された書き込み領域より外の領域に記録されたデータ又はプログラムを読み出す手順であるプログラム。
【手続補正１１】
【補正対象書類名】明細書
【補正対象項目名】００１４
【補正方法】変更
【補正の内容】
【００１４】
（１６）情報の書き込みが可能な記録媒体であって、書き込み領域に関する規定を含む管理情報が記録されており、上記管理情報に規定された書き込み領域より外の領域に上記書き込み領域に記録するデータを加工するのに用いるデータ又はプログラムの記憶領域を備えた記録媒体。
（１７）上記（１６）の記録媒体において、上記管理情報は、上記記録媒体における書き込み領域の記憶容量として物理的に確保可能な最大記憶容量よりも少ない記憶容量を上記書き込み領域の記憶容量として規定している情報である記録媒体。
（１８）上記（１６）の記録媒体において、上記管理情報は、上記記録媒体における書き込み領域として物理的に確保可能な最大アドレスよりも小さなアドレスを上記書き込み領域の可能な最大アドレスとして規定している情報である記録媒体。
【手続補正１２】
【補正対象書類名】明細書
【補正対象項目名】００１５
【補正方法】変更
【補正の内容】
【００１５】
（１９）上記（１６）の記録媒体において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録媒体。
（２０）上記（１６）〜（１９）のいずれかの記録媒体において、上記データ又はプログラムの記録領域に、予め上記書き込み領域に記録するデータを加工するのに用いるデータまたはプログラムが記録されている記録媒体。
（２１）上記（１６）〜（１９）のいずれかの記録媒体において、上記データ又はプログラムの記録領域に、予めプリスタンプで上記書き込み領域に記録するデータを加工するのに用いるデータまたはプログラムが記録されている記録媒体。
（２２）上記（１６）〜（２１）のいずれかの記録媒体において、上記管理情報に、上記書き込み領域外に上記書き込み領域に記録するデータを加工するのに用いるデータ又はプログラムの記録領域を備えた記録媒体であることを示す情報が記録されている記録媒体。
【手続補正１３】
【補正対象書類名】明細書
【補正対象項目名】００１６
【補正方法】変更
【補正の内容】
【００１６】
この発明による記録装置と記録方法とプログラムは、通常の情報記録装置において出荷時に予め記録媒体に記録されたデータが誤って消去されないようにすることができる。
【手続補正１４】
【補正対象書類名】明細書
【補正対象項目名】００１８
【補正方法】変更
【補正の内容】
【００１８】
ＣＰＵ１０は、この上位装置１の全体の制御を司り、内部記憶装置１２に記憶されたオペレーションシステムプログラムとプログラム格納部１３に格納されたプログラムを実行してこの発明の参考技術とこの発明に係る各種の制御処理も実行する。
外部記憶装置１１は、ＣＰＵ１０の各種の処理結果であるデータを記憶するハードディスク装置等の記憶装置である。内部記憶装置１２は、ＣＰＵ１０が実行するオペレーションシステムプログラムを格納するメモリである。プログラム格納部１３は、ＣＰＵ１０が実行する各種のプログラムを格納するメモリである。
【手続補正１５】
【補正対象書類名】明細書
【補正対象項目名】００２０
【補正方法】変更
【補正の内容】
【００２０】
まず、この発明の参考技術について上記情報記録装置を用いて説明する。この参考技術では、上記プログラム格納部１３に、コンピュータに、汎用の記録装置用に定められた記録媒体フォーマット規格で指定された記録媒体の書き込み領域の外の領域を参照する参照手順と、その参照手順によって参照した上記書き込み領域の外の領域に記録されたデータに基づいてデータを作成する作成手順と、その作成手順によって作成したデータを上記書き込み領域に記録する記録手順を実行させるためのプログラムと、コンピュータに、汎用の記録装置用に定められた記録媒体フォーマット規格で指定された記録媒体の書き込み領域外の領域を参照する参照手順と、その参照手順によって参照した上記書き込み領域の外の領域からデータを作成して上記記録媒体の書き込み領域に記録する手順を実行させるためのプログラムを読み出して起動させる起動手順を実行させるためのプログラムを格納する。
【手続補正１６】
【補正対象書類名】明細書
【補正対象項目名】００２６
【補正方法】変更
【補正の内容】
【００２６】
図３は、図１に示した光ディスク３０のフォーマットを示す図である。
図３の（ａ）は、ＤＶＤ−ＲＡＭディスク，ＤＶＤ−ＲＷディスク，ＤＶＤ＋ＲＷディスクのシングルセッション構成の場合を示しており、リードイン（Ｌｅａｄ−Ｉｎ）領域４０，データ（Ｄａｔａ）領域４１，リードアウト（Ｌｅａｄ−Ｏｕｔ）領域４２からなる１つのセッションが汎用の記録装置用に定められた記録媒体フォーマット規格で指定された書き込み領域に相当し、汎用の記録装置用に定められた記録媒体フォーマット規格で指定された書き込み領域の外の領域として、リードアウト領域４２の外周側の斜線を施して示す領域４３又はリードイン領域４０の内周側の斜線を施して示す領域４４に予めデータ又はプログラムを記録する。
【手続補正１７】
【補正対象書類名】明細書
【補正対象項目名】００２８
【補正方法】変更
【補正の内容】
【００２８】
さらに、汎用の記録装置用に定められた記録媒体フォーマット規格で指定された書き込み領域の外の領域として、汎用の記録装置用に定められた記録媒体フォーマット規格で指定された最終書き込み領域（最終セッション，第Ｎセッション）のリードアウト領域５５の外周側の斜線を施して示す領域５６又は最初の書き込み領域（第１セッション）のリードイン領域５０の内周側の斜線を施して示す領域５７に予めデータ又はプログラムを記録する。
上記領域４３，４４，５６，５７へのデータ又はプログラムの記録は、プリスタンプで行っても良い。
【手続補正１８】
【補正対象書類名】明細書
【補正対象項目名】００２９
【補正方法】変更
【補正の内容】
【００２９】
すなわち、上記光ディスク３０が、汎用の記録装置用に定められた記録媒体フォーマット規格で指定された書き込み領域外にデータ記録可能な領域を備えた記録媒体と、汎用の記録装置用に定められた記録媒体フォーマット規格で指定された書き込み領域外にプリスタンプでデータが形成されている領域を備えた記録媒体に相当する。
したがって、光ディスク３０は、通常の光ディスク記録装置（汎用の記録装置）で使用されるときには、その汎用の記録装置用の記録媒体フォーマット規格で指定された書き込み領域のみ参照し、その書き込み領域にのみデータが記録される。
【手続補正１９】
【補正対象書類名】明細書
【補正対象項目名】００３５
【補正方法】変更
【補正の内容】
【００３５】
次に、この情報記録装置におけるこの発明の参考技術に係る処理について説明する。
図４は、図１に示した情報記録装置の処理を示すフローチャート図である。
上位装置１のＣＰＵ１０は、ステップ（図中「Ｓ」で示す）１でＤＶＤ＋ＲＷドライブ装置に光ディスクが挿入されたか否かを判断し、ＤＶＤ＋ＲＷドライブ装置からの通知に基づいて光ディスクが挿入されたと判断したら、ステップ２でＤＶＤ＋ＲＷドライブ装置へゲット・コンフィギュレーション・コマンドを送り、ＤＶＤ＋ＲＷドライブ装置からの通知に基づいて汎用の記録装置用の記録媒体フォーマット規格で指定された書き込み領域の外の領域を有する光ディスクか否かを判断し、その光ディスクでなければステップ４でその光ディスクの種類に対応した動作を実行する。
【手続補正２０】
【補正対象書類名】明細書
【補正対象項目名】００４０
【補正方法】変更
【補正の内容】
【００４０】
次に、この発明の実施例を説明する。この発明の実施例の情報記録装置では、上記情報記録装置のプログラム格納部１３に、コンピュータに、情報の書き込みが可能な記録媒体に記録された管理情報を参照する参照手順と、その参照手順によって参照した管理情報に規定された書き込み領域より外の領域に記録されたデータ又はプログラムを読み出す読出手順と、その読出手順によって読み出されたデータ又はプログラムを用いてデータを加工する加工手順と、その加工手順によって加工されたデータを上記書き込み領域に記録する記録手順を実行させるためのプログラムを格納する。
【手続補正２１】
【補正対象書類名】明細書
【補正対象項目名】００４１
【補正方法】変更
【補正の内容】
【００４１】
そして、ＣＰＵ１０がそのプログラムを実行することによって、情報の書き込みが可能な記録媒体に記録された管理情報を参照する参照工程と、その参照工程によって参照した管理情報に規定された書き込み領域より外の領域に記録されたデータ又はプログラムを読み出す読出工程と、その読出工程によって読み出されたデータ又はプログラムを用いてデータを加工する加工工程と、その加工工程によって加工されたデータを上記書き込み領域に記録する記録工程とからなる記録方法を実行する。
すなわち、ＣＰＵ１０が、情報の書き込みが可能な記録媒体に記録された管理情報を参照する参照手段と、その参照手段によって参照した管理情報に規定された書き込み領域より外の領域に記録されたデータ又はプログラムを読み出す読出手段と、その読出手段によって読み出されたデータ又はプログラムを用いてデータを加工する加工手段と、その加工手段によって加工されたデータを上記書き込み領域に記録する記録手段の機能を果たす。
【手続補正２２】
【補正対象書類名】明細書
【補正対象項目名】００４３
【補正方法】変更
【補正の内容】
【００４３】
この場合の光ディスクは、情報の書き込みが可能な記録媒体であって、書き込み領域に関する規定を含む管理情報が記録されており、上記管理情報に規定された書き込み領域より外の領域に上記書き込み領域に記録するデータを加工するのに用いるデータ又はプログラムの記憶領域を備えている。
また、上記管理情報を、上記記録媒体における書き込み領域の記憶容量として物理的に確保可能な最大記憶容量よりも少ない記憶容量を上記書き込み領域の記憶容量として規定している情報にするとよい。
あるいは、上記管理情報を、上記記録媒体における書き込み領域として物理的に確保可能な最大アドレスよりも小さなアドレスを上記書き込み領域の可能な最大アドレスとして規定している情報にするとよい。
あるいはまた、上記管理情報を、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報にするとよい。
【手続補正２３】
【補正対象書類名】明細書
【補正対象項目名】００４４
【補正方法】変更
【補正の内容】
【００４４】
さらに、上記光ディスクの上記データ又はプログラムの記録領域に、予め上記書き込み領域に記録するデータを加工するのに用いるデータまたはプログラムを記録するとよい。
あるいは、上記光ディスクの上記データ又はプログラムの記録領域に、予めプリスタンプで上記書き込み領域に記録するデータを加工するのに用いるデータまたはプログラムを記録するとよい。
さらに、上記管理情報に、上記書き込み領域外に上記書き込み領域に記録するデータを加工するのに用いるデータ又はプログラムの記録領域を備えた記録媒体であることを示す情報を記録するとよい。
【手続補正２４】
【補正対象書類名】明細書
【補正対象項目名】００５１
【補正方法】変更
【補正の内容】
【００５１】
【図１】この発明の一実施例である情報記録装置の構成を示すブロック図である。
【図２】図１に示すＤＶＤ＋ＲＷドライブ装置の内部構成を示すブロック図である。
【図３】図１に示した光ディスク３０のフォーマットを示す図である。
【図４】図１に示した情報記録装置におけるこの発明の参考技術に係る処理を示すフローチャート図である。
【図５】この発明の他の実施例である情報記録装置の構成を示すブロック図である。
【図６】この発明のまた他の実施例である情報記録装置の構成を示すブロック図である。
【手続補正書】
【提出日】平成16年12月17日(2004.12.17)
【手続補正１】
【補正対象書類名】特許請求の範囲
【補正対象項目名】全文
【補正方法】変更
【補正の内容】
【特許請求の範囲】
【請求項１】
情報の書き込みが可能な記録媒体に記録された管理情報を参照する参照手段と、該参照手段によって参照した管理情報に規定された書き込み領域より外の領域に予めプリスタンプで記録されたデータ又はプログラムを読み出す読出手段と、該読出手段によって読み出されたデータ又はプログラムを用いてデータを加工する加工手段と、該加工手段によって加工されたデータを前記書き込み領域に記録する記録手段とを備えたことを特徴とする記録装置。
【請求項２】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１記載の記録装置。
【請求項３】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項１記載の記録装置。
【請求項４】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１記載の記録装置。
【請求項５】
前記読出手段は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す手段であることを特徴とする請求項１乃至４のいずれか一項に記載の記録装置。
【請求項６】
情報の書き込みが可能な記録媒体に記録された管理情報を参照する参照工程と、該参照工程によって参照した管理情報に規定された書き込み領域より外の領域に予めプリスタンプで記録されたデータ又はプログラムを読み出す読出工程と、該読出工程によって読み出されたデータ又はプログラムを用いてデータを加工する加工工程と、該加工工程によって加工されたデータを前記書き込み領域に記録する記録工程とからなることを特徴とする記録方法。
【請求項７】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項６記載の記録方法。
【請求項８】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項６記載の記録方法。
【請求項９】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項６記載の記録方法。
【請求項１０】
前記読出工程は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す工程であることを特徴とする請求項６乃至９のいずれか一項に記載の記録方法。
【請求項１１】
コンピュータに、情報の書き込みが可能な記録媒体に記録された管理情報を参照する参照手順と、該参照手順によって参照した管理情報に規定された書き込み領域より外の領域に予めプリスタンプで記録されたデータ又はプログラムを読み出す読出手順と、該読出手順によって読み出されたデータ又はプログラムを用いてデータを加工する加工手順と、該加工手順によって加工されたデータを前記書き込み領域に記録する記録手順とを実行させるためのプログラム。
【請求項１２】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１１記載のプログラム。
【請求項１３】
前記管理情報は、前記記録媒体における書き込み領域として物理的に確保可能な最大アドレスよりも小さなアドレスを前記書き込み領域の書き込み可能な最大アドレスとして規定している情報であることを特徴とする請求項１１記載のプログラム。
【請求項１４】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１１記載のプログラム。
【請求項１５】
前記読出手順は、前記管理情報内に記録された前記書き込み領域外にデータ又はプログラムの記録領域を備えた記録媒体であることを示す情報に基づいて、前記管理情報に規定された書き込み領域より外の領域に記録されたデータ又はプログラムを読み出す手順であることを特徴とする請求項１１乃至１４のいずれか一項に記載のプログラム。
【請求項１６】
情報の書き込みが可能な記録媒体であって、書き込み領域に関する規定を含む管理情報が記録されており、前記管理情報に規定された書き込み領域より外の領域に予めプリスタンプで前記書き込み領域に記録するデータを加工するのに用いるデータ又はプログラムの記憶領域を備えたことを特徴とする記録媒体。
【請求項１７】
前記管理情報は、前記記録媒体における書き込み領域の記憶容量として物理的に確保可能な最大記憶容量よりも少ない記憶容量を前記書き込み領域の記憶容量として規定している情報であることを特徴とする請求項１６記載の記録媒体。
【請求項１８】
前記管理情報は、前記記録媒体における書き込み領域として物理的に確保可能な最大アドレスよりも小さなアドレスを前記書き込み領域の可能な最大アドレスとして規定している情報であることを特徴とする請求項１６記載の記録媒体。
【請求項１９】
前記管理情報は、前記記録媒体における書き込み領域の終了を示す領域の開始アドレスとして物理的に指定可能な最大アドレスよりも小さなアドレスを前記終了を示す領域の開始アドレスの可能な最大アドレスとして規定している情報であることを特徴とする請求項１６記載の記録媒体。
【請求項２０】
前記管理情報に、前記書き込み領域外に前記書き込み領域に記録するデータを加工するのに用いるデータ又はプログラムの記録領域を備えた記録媒体であることを示す情報が記録されていることを特徴とする請求項１６乃至１９のいずれか一項に記載の記録媒体。
【手続補正２】
【補正対象書類名】明細書
【補正対象項目名】０００８
【補正方法】変更
【補正の内容】
【０００８】
この発明は上記の目的を達成するため、次の記録装置と記録媒体とプログラムを提供する。
（１）情報の書き込みが可能な記録媒体に記録された管理情報を参照する参照手段と、その参照手段によって参照した管理情報に規定された書き込み領域より外の領域に予めプリスタンプで記録されたデータ又はプログラムを読み出す読出手段と、その読出手段によって読み出されたデータ又はプログラムを用いてデータを加工する加工手段と、その加工手段によって加工されたデータを上記書き込み領域に記録する記録手段を備えた記録装置。
（２）上記（１）の記録装置において、上記管理情報は、上記記録媒体における書き込み領域の記憶容量として物理的に確保可能な最大記憶容量よりも少ない記憶容量を上記書き込み領域の記憶容量として規定している情報である記録装置。
（３）上記（１）の記録装置において、上記管理情報は、上記記録媒体における書き込み領域として物理的に確保可能な最大アドレスよりも小さなアドレスを上記書き込み領域の書き込み可能な最大アドレスとして規定している情報である記録装置。
【手続補正３】
【補正対象書類名】明細書
【補正対象項目名】００１０
【補正方法】変更
【補正の内容】
【００１０】
（６）情報の書き込みが可能な記録媒体に記録された管理情報を参照する参照工程と、その参照工程によって参照した管理情報に規定された書き込み領域より外の領域に予めプリスタンプで記録されたデータ又はプログラムを読み出す読出工程と、その読出工程によって読み出されたデータ又はプログラムを用いてデータを加工する加工工程と、その加工工程によって加工されたデータを上記書き込み領域に記録する記録工程とからなる記録方法。
（７）上記（６）の記録方法において、上記管理情報は、上記記録媒体における書き込み領域の記憶容量として物理的に確保可能な最大記憶容量よりも少ない記憶容量を上記書き込み領域の記憶容量として規定している情報である記録方法。
（８）上記（６）の記録方法において、上記管理情報は、上記記録媒体における書き込み領域として物理的に確保可能な最大アドレスよりも小さなアドレスを上記書き込み領域の書き込み可能な最大アドレスとして規定している情報である記録方法。
【手続補正４】
【補正対象書類名】明細書
【補正対象項目名】００１２
【補正方法】変更
【補正の内容】
【００１２】
（１１）コンピュータに、情報の書き込みが可能な記録媒体に記録された管理情報を参照する参照手順と、その参照手順によって参照した管理情報に規定された書き込み領域より外の領域に予めプリスタンプで記録されたデータ又はプログラムを読み出す読出手順と、その読出手順によって読み出されたデータ又はプログラムを用いてデータを加工する加工手順と、その加工手順によって加工されたデータを上記書き込み領域に記録する記録手順を実行させるためのプログラム。
（１２）上記（１１）のプログラムにおいて、上記管理情報は、上記記録媒体における書き込み領域の記憶容量として物理的に確保可能な最大記憶容量よりも少ない記憶容量を上記書き込み領域の記憶容量として規定している情報であるプログラム。
（１３）上記（１１）のプログラムにおいて、上記管理情報は、上記記録媒体における書き込み領域として物理的に確保可能な最大アドレスよりも小さなアドレスを上記書き込み領域の書き込み可能な最大アドレスとして規定している情報であるプログラム。
【手続補正５】
【補正対象書類名】明細書
【補正対象項目名】００１４
【補正方法】変更
【補正の内容】
【００１４】
（１６）情報の書き込みが可能な記録媒体であって、書き込み領域に関する規定を含む管理情報が記録されており、上記管理情報に規定された書き込み領域より外の領域に予めプリスタンプで上記書き込み領域に記録するデータを加工するのに用いるデータ又はプログラムの記憶領域を備えた記録媒体。
（１７）上記（１６）の記録媒体において、上記管理情報は、上記記録媒体における書き込み領域の記憶容量として物理的に確保可能な最大記憶容量よりも少ない記憶容量を上記書き込み領域の記憶容量として規定している情報である記録媒体。
（１８）上記（１６）の記録媒体において、上記管理情報は、上記記録媒体における書き込み領域として物理的に確保可能な最大アドレスよりも小さなアドレスを上記書き込み領域の可能な最大アドレスとして規定している情報である記録媒体。
【手続補正６】
【補正対象書類名】明細書
【補正対象項目名】００１５
【補正方法】変更
【補正の内容】
【００１５】
（１９）上記（１６）の記録媒体において、上記管理情報は、上記記録媒体における書き込み領域の終了を示す領域の開始アドレスとして物理的に指定可能な最大アドレスよりも小さなアドレスを上記終了を示す領域の開始アドレスの可能な最大アドレスとして規定している情報である記録媒体。
（２０）上記（１６）〜（１９）のいずれかの記録媒体において、上記管理情報に、上記書き込み領域外に上記書き込み領域に記録するデータを加工するのに用いるデータ又はプログラムの記録領域を備えた記録媒体であることを示す情報が記録されている記録媒体。
【手続補正７】
【補正対象書類名】明細書
【補正対象項目名】００４０
【補正方法】変更
【補正の内容】
【００４０】
次に、この発明の実施例を説明する。この発明の実施例の情報記録装置では、上記情報記録装置のプログラム格納部１３に、コンピュータに、情報の書き込みが可能な記録媒体に記録された管理情報を参照する参照手順と、その参照手順によって参照した管理情報に規定された書き込み領域より外の領域に予めプリスタンプで記録されたデータ又はプログラムを読み出す読出手順と、その読出手順によって読み出されたデータ又はプログラムを用いてデータを加工する加工手順と、その加工手順によって加工されたデータを上記書き込み領域に記録する記録手順を実行させるためのプログラムを格納する。
【手続補正８】
【補正対象書類名】明細書
【補正対象項目名】００４１
【補正方法】変更
【補正の内容】
【００４１】
そして、ＣＰＵ１０がそのプログラムを実行することによって、情報の書き込みが可能な記録媒体に記録された管理情報を参照する参照工程と、その参照工程によって参照した管理情報に規定された書き込み領域より外の領域に予めプリスタンプで記録されたデータ又はプログラムを読み出す読出工程と、その読出工程によって読み出されたデータ又はプログラムを用いてデータを加工する加工工程と、その加工工程によって加工されたデータを上記書き込み領域に記録する記録工程とからなる記録方法を実行する。
すなわち、ＣＰＵ１０が、情報の書き込みが可能な記録媒体に記録された管理情報を参照する参照手段と、その参照手段によって参照した管理情報に規定された書き込み領域より外の領域に予めプリスタンプで記録されたデータ又はプログラムを読み出す読出手段と、その読出手段によって読み出されたデータ又はプログラムを用いてデータを加工する加工手段と、その加工手段によって加工されたデータを上記書き込み領域に記録する記録手段の機能を果たす。